(57)【要約】【課題】三次元画像を表示する液晶表示パネルの周辺部での画像のずれを低減する。【解決手段】フロントパネル１０のサイズをリアパネル２０のサイズより小さくする。また、同じサイズのパネルを用いた場合には、フロントパネルの中心領域に、縮小した画像を表示し、周辺領域を黒表示する。【選択図】図１
2008107623.tif 000002
【特許請求の範囲】
【請求項１】
フロントパネルとリアパネルとを用いて三次元画像を表示する表示装置において、
前記フロントパネルのサイズをリアパネルのサイズより小さくすることを特徴とする表示装置。
【請求項２】
前記フロントパネルと前記リアパネルは、前記フロントパネルの中心線と前記リアパネルの中心線が重なるように配置されていることを特徴とする請求項１に記載の表示装置。
【請求項３】
前記フロントパネルには透過型の表示装置を用い、前記リアパネルには透過型の表示装置若しくは自発光型の表示装置を用いることを特徴とする請求項１に記載の表示装置。
【請求項４】
フロントパネルとリアパネルとを用いて三次元画像を表示する表示装置において、
前記リアパネルに表示する二次元画像を縮小してフロントパネルに表示することを特徴とする表示装置。
【請求項５】
前記フロントパネルの中心領域には、前記縮小した二次元画像が表示されており、該縮小した二次元画像の周辺領域を黒表示とすることを特徴とする請求項４に記載の表示装置。
【請求項６】
前記黒表示の範囲を、フロントパネルとリアパネルの間隔及び視点からの距離に応じて変えることを特徴とする請求項５に記載の表示装置。
【請求項７】
前記リアパネルに表示する二次元画像に対応して、フロントパネル画面上半分の表示データを遅らせるとともに、フロントパネル画面下半分の表示データを早めることで、フロントパネルに縮小した二次元画像を表示することを特徴とする請求項４に記載の表示装置。
【発明の詳細な説明】
【技術分野】
【０００１】
本発明は、三次元画像を表示する表示装置に関する。
【背景技術】
【０００２】
前後に配置した透過型液晶表示装置を、観察者から見て異なる奥行きの位置に配置し、表示データの奥行き情報に基づいて、前に配置した透過型液晶表示装置と後ろに配置した透過型液晶表示装置で、その表示画像の輝度を変化させることにより三次元立体像を生成することが、下記特許文献１に記載されている。
【特許文献１】特許第３４６０６７１号公報
【発明の開示】
【発明が解決しようとする課題】
【０００３】
三次元液晶表示装置を大画面化した場合、前に設置したフロントパネルと後ろに設置したリアパネルで同じ二次元画像を表示しても、パネルの周辺部は、視点からの距離により、画像がずれてしまう。
【課題を解決するための手段】
【０００４】
本発明は、フロントパネルのサイズをリアパネルのサイズより小さくすることを特徴とする。また、本発明は、同じサイズのフロントパネルとリアパネルを用いて、リアパネルに表示される二次元画像を縮小して、この縮小した二次元画像をフロントパネルに表示することを特徴とする。
【発明の効果】
【０００５】
本発明の実施例１によれば、フロントパネルとリアパネルの大きさを変えることにより、大画面化しても画像のずれを吸収できる。
【０００６】
本発明の実施例２によれば、同じサイズで同じ解像度のフロントパネルとリアパネルとを使用しているため、低コスト化が図れる。また、パネルを大画面化しても、フロントパネルとリアパネルとの周辺部での画像のずれを、表示データを制御することにより吸収できるから、高品質な三次元画像が得られる。
【発明を実施するための最良の形態】
【０００７】
以下、図面を用いて、本発明の実施例を説明する。
【実施例１】
【０００８】
図１は、フロントパネル１０とリアパネル２０のサイズを示す図であって、図１（ａ）はフロントパネル１０、図１（ｂ）はリアパネル２０を示す。また、フロントパネル１０とリアパネル２０に表示画像を示す。
【０００９】
図１において、フロントパネル１０のサイズは、リアパネル２０のサイズより小さくしてある。なお、図１（ａ）において、１２はフロントパネル１０の上下の中心線であり、１３はフロントパネル１０の左右の中心線である。同様に、図１（ｂ）において、１４はリアパネル２０の上下の中心線であり、１５はリアパネル２０の左右の中心線である。
【００１０】
本実施例では、フロントパネル１０の上下の中心線１２と、リアパネル２０の上下の中心線１４が重なるように配置し、また、フロントパネル１０の左右の中心線１３と、リアパネル２０の左右の中心線１５が重なるように配置する。このようなフロントパネル１０とリアパネル２０の間隔と視点からの距離について、図２を用いて説明する。
【００１１】
図２は、フロントパネル１０とリアパネル２０の配置図である。図２において、視点３０からの距離に応じて、フロントパネル１０のサイズを変更する。すなわち、視点３０からの距離が近い場合には、フロントパネル１０のサイズをより小さくする。また、フロントパネル１０とリアパネル２０の間隔に応じて、フロントパネル１０のサイズを変更する。すなわち、間隔が大きい場合には、フロントパネル１０のサイズをより小さくする。
【００１２】
このように、フロントパネル１０のサイズを小さくすることで、フロントパネル１０に表示される画像と、リアパネル２０に表示される画像とが、視点３０から見て一致するので、フロントパネル１０とリアパネル２０を同じサイズにした場合と比較して、パネルの周辺部において、画像がずれるのを低減することができる。
【００１３】
本実施例では、大画面化しても、パネルサイズの差により、パネル周辺部での視差を吸収できるので、パネル周辺部での画像のずれが目立たない高品位な三次元液晶表示装置が実現できる。
【００１４】
なお、本実施例においては、フロントパネルには、透過型の表示装置を用いるが、透過型の表示装置の一例として透過型の液晶表示装置が挙げられる。また、リアパネルは、透過型の液晶表示装置でもよいし、プラズマパネルや有機ＬＥＤ装置のような自発光型の表示装置を用いることができる。
【実施例２】
【００１５】
本実施例では、同じサイズで同じ解像度のフロントパネル１０とリアパネル２０を用いて、三次元画像を表示する。このフロントパネル１０とリアパネル２０を図３に示す。
【００１６】
図３は、フロントパネル１０での表示画像とリアパネル２０での表示画像を示す図であって、図３（ａ）はフロントパネル１０の中心領域の表示画像と周辺領域の黒表示を示し、図１（ｂ）はリアパネル２０の表示画像を示す。
【００１７】
図３において、フロントパネル１０とリアパネル２０の垂直ライン数を、例えば、４８０ラインとすると、図３（ａ）に示すように、フロントパネル１０の１ラインから４８０ラインにおいて、フロントパネル１０の６ライン目から表示データの１ライン目を表示し、４７５ライン目に表示データの４８０ライン目を順次表示する。また、リアパネル２０においては、図３（ｂ）に示すように、リアパネル２０の１ラインから４８０ラインに、表示データの１ラインから４８０ラインを順次表示する。
【００１８】
また、フロントパネル１０とリアパネル２０の水平ドット数を、例えば、８００ドットとすると、フロントパネル１０において、９ドット目から７９２ドット目に、表示データの１ドット目から８００ドット目を表示する。
【００１９】
本実施例においては、パネルサイズを９インチ（１１８ｍｍ×１９７ｍｍ）、水平画素ピッチと垂直ラインピッチを０．２４６ｍｍ（４８０ライン×８００ドッド）、パネル間隔を７．５ｍｍ、視点距離を３６０ｍｍとした。この場合、黒表示領域は、上下５ライン、左右８ドットとなる。
【００２０】
すなわち、パネル周辺領域の視差は、フロントパネルの上下で約１．２ｍｍ（＝（７．５／（３６０＋７．５））×１１８／２）、フロントパネルの左右で約２．０ｍｍ（＝（７．５／（３６０＋７．５））×１９７／２）となる。これは、上下で約５ライン（＝１．２／０．２４６）、左右で約８ドット（＝２．０／０．２４６）に相当する。
【００２１】
これらの数値は、一例であって、パネル周辺領域の視差は、パネル間隔及び視点距離に応じて変化する。すなわち、パネル間隔が大きくなると視差は大きくなり、視点距離が小さいと視差は大きくなる。
【００２２】
このように、フロントパネル１０に表示される画像は、リアパネル２０の表示画像に対応して、リアパネル２０の中心領域に向かって縮小した画像をパネル間隔や視点距離に応じて、表示することにより視差を吸収することができる。
【００２３】
図４は、本実施例を具体化するための表示データ処理のブロック図である。図４において、表示データは、フロント／リアデータ分配回路４１で、フロントパネル用表示データとリアパネル用表示データとして、フロントラインメモリ４２とリアラインメモリ４３に分配され、フロントラインメモリ４２とリアラインメモリ４３に格納される。これらのラインメモリの容量は、フロントパネルとリアパネルの視差の量に対応して決定する。また、リアラインメモリ４３はフロントラインメモリ４２より大きい容量を用いる。
【００２４】
フロントラインメモリ４２に格納されたフロントパネル用表示データは、遅延量調整回路４４によって、パネルの上の位置（ラインとドット）に応じて、遅延量が変化させられる。すなわち、フロントパネル用の画面上部のデータに対しては遅延量を大きくし、画面下に行くにしたがって遅延量を小さくする。そして、画面中央付近のデータについては、フロントパネル用表示データの遅延量とリアパネル用表示データの遅延量が等しくなる。
【００２５】
リアパネル用表示データの遅延量は一定として表示データがそのままリアパネルへ出力される。これに対して、フロントパネル用表示データは、縮小化演算回路４５にて縮小演算され、フロントパネルへ出力される。
【００２６】
図５は、フロントパネル用表示データとリアパネル用表示データの動作タイミング図であって、パネル上のライン位置に応じて、フロントラインメモリ４２に格納されたフロントパネル用表示データの遅延量を変化させる例である。すなわち、画面上部のデータに対しては遅延量を大きくし画面下に行くにしたがって遅延量を小さくする。
【００２７】
本実施例では、黒表示幅が５ラインの時の例であるので、１ライン目の表示データ処理は、フロントパネル用表示データの方がリアパネル用表示データより５ライン分遅延するが、画面中央に近づくにしたがって次第にその差が小さくなり、２４０ライン目の中央ではタイミングが一致する。
【００２８】
さらに画面下の方へ行くと今度はフロントパネル用表示データをリアパネル用表示データに対して早め、４８０ライン目の時はフロントパネル用表示データの方が５ライン分早くなるようにする。
【００２９】
このような表示データ処理により、小容量のラインメモリにて、三次元画像を表示する液晶表示装置を大画面化した際の周辺部での表示のずれ量を低減でき、高品位な三次元画像が表示できる。
【図面の簡単な説明】
【００３０】
【図１】フロントパネルとリアパネルのサイズを示す図。
【図２】フロントパネルとリアパネルの配置図。
【図３】フロントパネルでの縮小表示画像とリアパネルでの表示画像を示す図。
【図４】表示データ処理のブロック図。
【図５】動作タイミング図。
【符号の説明】
【００３１】
１０…フロントパネル、２０…リアパネル、３０…視点、４１…データ分配回路、４２…フロントラインメモリ、４３…リアラインメモリ、４４…遅延量調整回路、４５…縮小化演算回路
【図１】
2008107623.tif 000003
【図２】
2008107623.tif 000004
【図３】
2008107623.tif 000005
【図４】
2008107623.tif 000006
【図５】
2008107623.tif 000007